(57)【要約】【課題】無線機の受信電界強度信号に関するインタフェースを調整することなく、受信電界強度に基づいて通信を制御することができること。【解決手段】無線機２１、２２、２３の受信電界強度に基づいて無線機２１、２２、２３の通信を制御する無線通信制御装置２０であって、送信電流検出部２０３は、無線機２１、２２、２３の送信電流を検出し、電界強度換算部２０６２は、送信電流検出部２０３によって検出された送信電流を受信電界強度に換算し、通信制御部２０６１は、電界強度換算部２０６２によって換算された受信電界強度に基づいて無線機２１、２２、２３の通信を制御する。【選択図】        図１
2005318301.tif 000002
【特許請求の範囲】
【請求項１】
無線機の受信電界強度に基づいて該無線機の通信を制御する無線通信制御装置であって、
前記無線機の送信電流を検出する送信電流検出手段と、
検出された送信電流を受信電界強度に換算する電界強度換算手段と、
換算された受信電界強度に基づいて前記無線機の通信を制御する通信制御手段と、
を備えたことを特徴とする無線通信制御装置。
【請求項２】
前記送信電流検出手段は、前記無線通信制御装置から前記無線機に供給する電源の電流を検出することを特徴とする請求項１に記載の無線通信制御装置。
【請求項３】
前記電界強度換算手段は、前記送信電流を前記受信電界強度に換算する受信電界強度テーブルであることを特徴とする請求項１に記載の無線通信制御装置。
【請求項４】
前記受信電界強度テーブルを記憶する受信電界強度テーブルデータ記憶手段をさらに備え、
前記電界強度換算手段は、前記受信電界強度テーブルに基づいて前記送信電流を前記受信電界強度に換算することを特徴とする請求項３に記載の無線通信制御装置。
【請求項５】
前記電界強度換算手段は、前記送信電流に関する多項式関数に基づいて前記受信電界強度を算出することにより換算することを特徴とする請求項１に記載の無線通信制御装置。
【請求項６】
前記受信電界強度テーブルを更新する電界強度更新手段をさらに備え、
前記電界強度換算手段は、前記電界強度更新手段によって更新された受信電界強度テーブルに基づいて前記無線機の送信電流を受信電界強度に換算することを特徴とする請求項３、４または５に記載の無線通信制御装置。
【請求項７】
前記電界強度更新手段は、前記無線機から受信電界強度テーブルを取得して前記受信電界強度テーブルを更新することを特徴とする請求項６に記載の無線通信制御装置。
【請求項８】
前記電界強度更新手段は、ネットワークを介して接続された基地局サーバから取得した受信電界強度テーブルに基づいて前記受信電界強度テーブルを更新することを特徴とする請求項６または７に記載の無線通信制御装置。
【請求項９】
前記送信電流検出手段は、前記無線機の通信を一時的に切断した場合の該無線機の最大送信電流を検出し、
前記電界強度更新手段は、前記最大送信電流に基づいて前記基地局サーバから取得した前記受信電界強度テーブルの中から前記無線機の受信電界強度テーブルを選択することを特徴とする請求項８に記載の無線通信制御装置。
【請求項１０】
前記電界強度更新手段は、前記最大送信電流と前記送信電流検出手段によって検出された中電界強度および強電界強度における送信電流とに基づいて前記受信電界強度テーブルを作成することを特徴とする請求項９に記載の無線通信制御装置。
【請求項１１】
前記電界強度更新手段は、前記無線機が無線通信をするたびに検出される送信電流に基づいて前記受信電界強度テーブルを補正することを特徴とする請求項６〜１０のいずれか一つに記載の無線通信制御装置。
【請求項１２】
無線機の受信電界強度に基づいて該無線機の通信を制御する無線通信制御方法であって、
前記無線機の送信電流を検出する送信電流検出工程と、
検出された送信電流を受信電界強度に換算する電界強度換算工程と、
換算された受信電界強度に基づいて前記無線機の通信を制御する通信制御工程と、
を含むことを特徴とする無線通信制御方法。
【請求項１３】
無線機の受信電界強度に基づいて該無線機の通信を制御する無線通信制御プログラムであって、
前記無線機の送信電流を検出する送信電流検出手順と、
検出された送信電流を受信電界強度に換算する電界強度換算手順と、
換算された受信電界強度に基づいて前記無線機の通信を制御する通信制御手順と、
をコンピュータによって実行することを特徴とする無線通信制御プログラム。
【発明の詳細な説明】
【技術分野】
【０００１】
この発明は、無線通信制御装置、無線通信制御方法、無線通信制御プログラムに関し、特に無線機の受信電界強度信号に関するインタフェースを調整することなく、受信電界強度に基づいて通信を制御することができる無線通信制御装置、無線通信制御方法、無線通信制御プログラムに関するものである。
【背景技術】
【０００２】
従来、無線機の受信電界強度に基づいて無線機の通信を制御する無線通信制御装置が知られていた。かかる無線通信制御装置は、中間周波数増幅器から出力される受信電界強度信号を取得して無線機の通信を制御していた。本来、受信電界強度信号は、無線機が自動利得制御を行うために無線機内部で使用する制御信号であり、無線機の外部に取出すことが意図されているものではないので、受信電界強度信号を取出すためには無線機とのインタフェースを調整する必要があった。その結果、無線機の受信電界強度信号に関するインタフェースに合わせた無線通信制御装置のハードウエア、ソフトウエアの設計の見直しを行わなければならなかった。例えば、特許文献１では、無線通信事業者が提供する同一無線通信方式の通信網の中から受信電界強度のより高い、または受信信号の誤り率のより低い通信網を選択し、接続要求を行う無線通信制御システムに関する従来技術が開示されている。
【０００３】
【特許文献１】特開２００２−３００６５３号公報
【発明の開示】
【発明が解決しようとする課題】
【０００４】
特許文献１の従来技術では、無線通信事業者が提供する同一無線方式の通信網の中から受信電界強度のより高い、または受信信号の誤り率のより低い通信網を選択し、接続要求を行うことができる。しかし、特許文献１の従来技術では、新たな無線機を接続するたびに無線機の受信電界強度に関するインタフェースを調整し、その結果、無線機のインタフェースに合わせた無線通信制御装置のハードウエア、ソフトウエアの設計の見直しを行わなければならないという課題を解決できなかった。
【０００５】
この発明は、上述した従来技術による問題点を解消するためになされたものであり、無線機の受信電界強度信号に関するインタフェースを調整することなく、受信電界強度に基づいて通信を制御することができる無線通信制御装置、無線通信制御方法、無線通信制御プログラムを提供することを目的とする。
【課題を解決するための手段】
【０００６】
上述した課題を解決し、目的を達成するため、請求項１の発明に係る無線通信制御装置は、無線機の受信電界強度に基づいて該無線機の通信を制御する無線通信制御装置であって、前記無線機の送信電流を検出する送信電流検出手段と、検出された送信電流を受信電界強度に換算する電界強度換算手段と、換算された受信電界強度に基づいて前記無線機の通信を制御する通信制御手段と、を備えたことを特徴とする。
【０００７】
この請求項１の発明によれば、無線機の送信電流を検出し、検出された送信電流を受信電界強度に換算し、換算された受信電界強度に基づいて無線機の通信を制御することとしたので、無線機の受信電界強度信号に関するインタフェースを調整することなく、受信電界強度に基づいて通信を制御することができる。
【０００８】
また、請求項２の発明に係る無線通信制御装置は、請求項１の発明において、前記送信電流検出手段は、前記無線通信制御装置から前記無線機に供給する電源の電流を検出することを特徴とする。
【０００９】
この請求項２の発明によれば、無線通信制御装置から無線機に供給する電源の電流を検出することとしたので、無線機の送信電流を容易に検出することができる。
【００１０】
また、請求項３の発明に係る無線通信制御装置は、請求項１の発明において、前記電界強度換算手段は、前記送信電流を前記受信電界強度に換算する受信電界強度テーブルであることを特徴とする。
【００１１】
この請求項３の発明によれば、送信電流を受信電界強度に換算することとしたので、送信電流から受信電界強度を容易に換算できる。
【００１２】
また、請求項４の発明に係る無線通信制御装置は、請求項３の発明において、前記受信電界強度テーブルを記憶する受信電界強度テーブルデータ記憶手段をさらに備え、前記電界強度換算手段は、前記受信電界強度テーブルに基づいて前記送信電流を前記受信電界強度に換算すること特徴とする。
【００１３】
この請求項４の発明によれば、受信電界強度テーブルを記憶し、受信電界強度テーブルに基づいて送信電流を受信電界強度に換算することとしたので、送信電流から受信電界強度を容易に換算できる。
【００１４】
また、請求項５の発明に係る無線通信制御装置は、請求項１の発明において、前記電界強度換算手段は、前記送信電流に関する多項式関数に基づいて前記受信電界強度を算出することにより換算することを特徴とする。
【００１５】
この請求項５の発明によれば、送信電流に関する多項式関数に基づいて受信電界強度を算出することにより換算することとしたので、送信電流から受信電界強度を容易に換算できる。
【００１６】
また、請求項６の発明に係る無線通信制御装置は、請求項３、４または５の発明において、前記受信電界強度テーブルを更新する電界強度更新手段をさらに備え、前記電界強度換算手段は、前記電界強度更新手段によって更新された受信電界強度テーブルに基づいて前記無線機の送信電流を受信電界強度に換算することを特徴とする。
【００１７】
この請求項６の発明によれば、受信電界強度テーブルを更新し、更新された受信電界強度テーブルに基づいて無線機の送信電流を受信電界強度に換算することとしたので、最新の受信電界強度テーブルを用いて送信電流から受信電界強度を容易に換算できる。
【００１８】
また、請求項７の発明に係る無線通信制御装置は、請求項６の発明において、前記電界強度更新手段は、前記無線機から受信電界強度テーブルを取得して前記受信電界強度テーブルを更新することを特徴とする。
【００１９】
この請求項７の発明によれば、無線機から受信電界強度テーブルを取得して受信電界強度テーブルを更新することとしたので、無線機の受信電界強度テーブルを確実に、かつ容易に取得できる。
【００２０】
また、請求項８の発明に係る無線通信制御装置は、請求項６または７の発明において、前記電界強度更新手段は、ネットワークを介して接続された基地局サーバから取得した受信電界強度テーブルに基づいて前記受信電界強度テーブルを更新することを特徴とする。
【００２１】
この請求項８の発明によれば、ネットワークを介して接続された基地局サーバから取得した受信電界強度テーブルに基づいて受信電界強度テーブルを更新することとしたので、無線機が受信電界強度テーブルを保持していない場合でも、無線機の受信電界強度テーブルを取得できる。
【００２２】
また、請求項９の発明に係る無線通信制御装置は、請求項８の発明において、前記送信電流検出手段は、前記無線機の通信を一時的に切断した場合の該無線機の最大送信電流を検出し、前記電界強度更新手段は、前記最大送信電流に基づいて前記基地局サーバから取得した前記受信電界強度テーブルの中から前記無線機の受信電界強度テーブルを選択することを特徴とする。
【００２３】
この請求項９の発明によれば、無線機の通信を一時的に切断した場合の無線機の最大送信電流を検出し、最大送信電流に基づいて基地局サーバから取得した受信電界強度テーブルの中から無線機の受信電界強度テーブルを選択することとしたので、基地局サーバが保持している受信電界強度テーブルから容易に無線機の受信電界強度テーブルを取得することができる。
【００２４】
また、請求項１０の発明に係る無線通信制御装置は、請求項９の発明において、前記電界強度更新手段は、前記最大送信電流と前記送信電流検出手段によって検出された中電界強度および強電界強度における送信電流とに基づいて前記受信電界強度テーブルを作成することを特徴とする。
【００２５】
この請求項１０の発明によれば、最大送信電流と中電界強度および強電界強度における送信電流とに基づいて受信電界強度テーブルを作成することとしたので、基地局サーバが無線機の受信電界強度テーブルを保持していない場合、無線通信シミュレーションを行って無線機の受信電界強度テーブルを作成することができる。
【００２６】
また、請求項１１の発明に係る無線通信制御装置は、請求項６〜１０のいずれか一つの発明において、前記電界強度更新手段は、前記無線機が無線通信をするたびに検出される送信電流に基づいて前記受信電界強度テーブルを補正することを特徴とする。
【００２７】
この請求項１１の発明によれば、無線機が無線通信をするたびに検出される送信電流に基づいて受信電界強度テーブルを補正することとしたので、信頼性の高い受信電界強度テーブルを用いて無線機の通信を制御することができる。
【００２８】
また、請求項１２の発明に係る無線通信制御方法は、無線機の受信電界強度に基づいて該無線機の通信を制御する無線通信制御方法であって、前記無線機の送信電流を検出する送信電流検出工程と、検出された送信電流を受信電界強度に換算する電界強度換算工程と、換算された受信電界強度に基づいて前記無線機の通信を制御する通信制御工程と、を含むことを特徴とする。
【００２９】
この請求項１２の発明によれば、無線機の送信電流を検出し、検出された送信電流を受信電界強度に換算し、換算された受信電界強度に基づいて無線機の通信を制御することとしたので、無線機の受信電界強度信号に関するインタフェースを調整することなく、受信電界強度に基づいて通信を制御することができる。
【００３０】
また、請求項１３の発明に係る無線通信制御プログラムは、無線機の受信電界強度に基づいて該無線機の通信を制御する無線通信制御プログラムであって、前記無線機の送信電流を検出する送信電流検出手順と、検出された送信電流を受信電界強度に換算する電界強度換算手順と、換算された受信電界強度に基づいて前記無線機の通信を制御する通信制御手順と、をコンピュータによって実行することを特徴とする。
【００３１】
この請求項１３の発明によれば、無線機の送信電流を検出し、検出された送信電流を受信電界強度に換算し、換算された受信電界強度に基づいて無線機の通信を制御することとしたので、無線機の受信電界強度信号に関するインタフェースを調整することなく、受信電界強度に基づいて通信を制御することができる。
【発明の効果】
【００３２】
請求項１の発明によれば、無線機の送信電流を検出し、検出された送信電流を受信電界強度に換算し、換算された受信電界強度に基づいて無線機の通信を制御するよう構成したので、無線機の受信電界強度信号に関するインタフェースを調整することなく、受信電界強度に基づいて通信を制御することができるという効果を奏する。
【００３３】
また、請求項２の発明によれば、無線通信制御装置から無線機に供給する電源の電流を検出するよう構成したので、無線機の送信電流を容易に検出することができるという効果を奏する。
【００３４】
また、請求項３の発明によれば、送信電流を受信電界強度に換算するよう構成したので、送信電流から受信電界強度を容易に換算できるという効果を奏する。
【００３５】
また、請求項４の発明によれば、受信電界強度テーブルを記憶し、受信電界強度テーブルに基づいて送信電流を受信電界強度に換算するよう構成したので、送信電流から受信電界強度を容易に換算できるという効果を奏する。
【００３６】
また、請求項５の発明によれば、送信電流に関する多項式関数に基づいて受信電界強度を算出することにより換算するよう構成したので、送信電流から受信電界強度を容易に換算できるという効果を奏する。
【００３７】
また、請求項６の発明によれば、受信電界強度テーブルを更新し、更新された受信電界強度テーブルに基づいて無線機の送信電流を受信電界強度に換算するよう構成したので、最新の受信電界強度テーブルを用いて送信電流から受信電界強度を容易に換算できるという効果を奏する。
【００３８】
また、請求項７の発明によれば、無線機から受信電界強度テーブルを取得して受信電界強度テーブルを更新するよう構成したので、無線機の受信電界強度テーブルを確実に、かつ容易に取得できるという効果を奏する。
【００３９】
また、請求項８の発明によれば、ネットワークを介して接続された基地局サーバから取得した受信電界強度テーブルに基づいて受信電界強度テーブルを更新するよう構成したので、無線機が受信電界強度テーブルを保持していない場合でも、無線機の受信電界強度テーブルを取得できるという効果を奏する。
【００４０】
また、請求項９の発明によれば、無線機の通信を一時的に切断した場合の無線機の最大送信電流を検出し、最大送信電流に基づいて基地局サーバから取得した受信電界強度テーブルの中から無線機の受信電界強度テーブルを選択するよう構成したので、基地局サーバが保持している受信電界強度テーブルから容易に無線機の受信電界強度テーブルを取得することができるという効果を奏する。
【００４１】
また、請求項１０の発明によれば、最大送信電流と中電界強度および強電界強度における送信電流とに基づいて受信電界強度テーブルを作成するよう構成したので、基地局サーバが無線機の受信電界強度テーブルを保持していない場合、無線通信シミュレーションを行って無線機の受信電界強度テーブルを作成することができるという効果を奏する。
【００４２】
また、請求項１１の発明によれば、無線機が無線通信をするたびに検出される送信電流に基づいて受信電界強度テーブルを補正するよう構成したので、信頼性の高い受信電界強度テーブルを用いて無線機の通信を制御することができるという効果を奏する。
【００４３】
また、請求項１２の発明によれば、無線機の送信電流を検出し、検出された送信電流を受信電界強度に換算し、換算された受信電界強度に基づいて無線機の通信を制御するよう構成したので、無線機の受信電界強度信号に関するインタフェースを調整することなく、受信電界強度に基づいて通信を制御することができるという効果を奏する。
【００４４】
また、請求項１３の発明によれば、無線機の送信電流を検出し、検出された送信電流を受信電界強度に換算し、換算された受信電界強度に基づいて無線機の通信を制御するよう構成したので、無線機の受信電界強度信号に関するインタフェースを調整することなく、受信電界強度に基づいて通信を制御することができるという効果を奏する。
【発明を実施するための最良の形態】
【００４５】
以下に添付図面を参照して、この発明に係る無線通信制御装置の好適な実施例を詳細に説明する。
【実施例】
【００４６】
本実施例では、この発明に係る無線通信制御装置を無線通信制御システムに適用する。ここでは、（１）無線通信制御装置の概要と主要な特徴、（２）無線通信制御システムの構成、（３）受信電界強度テーブル更新手順、（４）受信電界強度テーブル作成手順、（５）無線通信制御手順の順番に説明する。
【００４７】
（１）無線通信制御装置の概要と主要な特徴
図１を参照して、本実施例の無線通信制御装置の概要と主要な特徴について説明する。図１は、実施例に係る無線通信制御システム１の構成を示す機能ブロック図である。本実施例の無線通信制御装置２０は、無線機２１、２２、２３の受信電界強度に基づいて無線機の通信を制御する装置であり、無線機２１、２２、２３の受信電界強度信号に関するインタフェースを調整することなく、容易に受信電界強度が取得できることを特徴とする。
【００４８】
また、送信電流検出部２０３は、無線機２１、２２、２３の送信電流を検出し、電界強度換算部２０６２は、検出された送信電流を受信電界強度に換算し、通信制御部２０６１は、換算された受信電界強度に基づいて無線機２１、２２、２３の通信を制御することとしたので、無線機の受信電界強度信号に関するインタフェースを調整することなく、受信電界強度に基づいて通信を制御することができる。
【００４９】
（２）無線通信制御システムの構成
次に、図１を参照して、本実施例に係る無線通信制御システム１の構成について説明する。同図に示すように、無線通信システム１は、携帯電話、ＰＨＳ、無線ＬＡＮなどの無線通信システムであり、基地局サーバ１０、無線アクセスポイント１２、ネットワーク１５、無線通信制御装置２０、無線機２１、２２、２３、ゲイン可変スイッチ３１、３２、３３、およびアンテナ４１、４２、４３を有する。
【００５０】
基地局サーバ１０は、無線機２１、２２、２３に対して携帯電話、ＰＨＳ、無線ＬＡＮなどの無線サービスを提供するサーバ装置であり、無線機２１、２２、２３の送信電流に対して受信電界強度を換算する受信電界強度テーブルを無線通信制御装置２０に提供する。また、無線アクセスポイント１２は、無線通信制御装置２０が基地局サーバ装置１０にアクセスするための無線インタフェースである。また、ネットワーク１５は、基地局サーバ１０と無線アクセスポイント１２を接続するネットワークであり、インターネット、専用回線、ＬＡＮなどである。
【００５１】
無線通信制御装置２０の説明を始める前に、無線機２１、２２、２３について説明する。無線機２１、２２、２３は、携帯電話、ＰＨＳ、無線ＬＡＮなどの車載通信端末装置である。また、ゲイン可変スイッチ３１、３２、３３は、受信電波のゲインを変えるためのスイッチである。また、アンテナ４１、４２、４３は、携帯電話、ＰＨＳ、無線ＬＡＮなどのアンテナである。
【００５２】
無線通信制御装置２０は、無線機２１、２２、２３の受信電界強度に基づいて無線機２１、２２、２３の通信を制御する装置であり、入力部２０１、出力部２０２、送信電流検出部２０３、送受信ＩＦ部２０４、記憶部２０５、制御部２０６を有する。入力部２０１は、ユーザが要求や指示を入力する入力装置であり、テンキーやボタンなどである。また、表示部２０２は無線通信制御装置２０および無線機２１、２２、２３のステータスや受信電界強度テーブルを表示する表示装置である。また、送信電流検出部２０３は、無線通信制御装置２０から無線機２１、２２、２３に供給する電源の電流を検出する検出部である。なお、送信電流検出部２０３から無線機２１、２２、２３に向かう破線は、電源ラインである。ここで、図２を参照して、図１に示す送信電流検出部２０３の構成をさらに詳細に説明する。図２は、図１に示す送信電流検出部２０３の構成をさらに詳細に示す機能ブロック図である。
【００５３】
同図に示すように、送信電流検出部２０３は、低インピーダンス抵抗２０３１、差動増幅器２０３２、Ａ／Ｄ変換器２０３３を有する。低インピーダンス抵抗２０３１は、電源１９から無線機２１に供給される電流を電圧に変える抵抗である。また、差動増幅器２０３２は、低インピーダンス抵抗２０３１の電圧変化を検出する増幅器である。また、Ａ／Ｄ変換器２０３３は、差動増幅器２０３２から出力される電圧変化をデジタル変換するデジタル変換器である。そして、制御部２０６は、送信電流検出部２０３によって検出された送信電流を入力し、送信電流から換算された受信電界強度に基づいて無線機２１の通信を制御する。
【００５４】
図１の説明に戻ると、送受信ＩＦ部２０４は、制御部２０６と無線機２１、２２、２３、ゲイン可変スイッチ３１、３２、３３との間で制御信号およびデータを入出力する入出力インタフェース部である。なお、送受信ＩＦ部２０４とゲイン可変スイッチ３１、３２、３３を接続する一点破線は、制御信号およびデータを入出力する制御ラインである。
【００５５】
記憶部２０５は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などの記憶装置であり、受信電界強度テーブルデータ記憶部２０５１を有する。受信電界強度テーブルデータ記憶部２０５１は、検出した送信電流を受信電界強度に換算するデータである受信電界強度テーブルデータを記憶する記憶部である。
【００５６】
制御部２０６は、無線通信制御装置２０の全体を制御する制御部であり、通信制御部２０６１、電界強度換算部２０６２、電界強度更新部２０６３を有する。通信制御部２０６１は、受信電界強度に基づいて無線機２１、２２、２３の通信を制御する処理部である。また、電界強度換算部２０６２は、無線機２１、２２、２３の送信電流を受信電界強度に換算する処理部である。また、電界強度換算部２０６２は、無線機２１、２２、２３の送信電流を受信電界強度に換算する受信電界強度テーブルである。
【００５７】
電界強度更新部２０６３は、受信電界強度テーブルを更新する処理部であり、受信電界強度テーブル取得部２０６３ａ、受信電界強度テーブル作成部２０６３ｂ、受信電界強度テーブル補正部２０６３ｃを有する。受信電界強度テーブル取得部２０６３ａは、無線機２１、２２、２３が交換された場合は、交換された無線機２１、２２、２３から受信電界強度テーブルを取得して既存の受信電界強度テーブルを更新する。また、受信電界強度テーブル取得部２０６３ａは、ネットワーク１５を介して接続された基地局サーバ１０から取得した受信電界強度テーブルに基づいて既存の受信電界強度テーブルを更新する。
【００５８】
ここで、図３を参照して、図１に示す受信電界強度テーブル取得部２０６３ａが基地局サーバ１０から取得する受信電界強度テーブルについて説明する。図３は、図１に示す受信電界強度テーブル取得部２０６３ａが基地局サーバ１０から取得する受信電界強度テーブルである。同図に示すように、受信電界強度テーブルは、縦軸を送信電流、横軸を受信電界強度として表示した受信電界強度テーブルのグラフである。また、受信電界強度テーブルは、送信電流と受信電界強度を対応付けるテーブルデータであり、無線機２１、２２、２３の特性によって相違する。
【００５９】
同図に示すように、無線機２１、２２、２３の特性によって他の無線機に切替える受信電界強度の閾値である切替閾値が相違する。また、同図には図示していないが、無線機２１、２２、２３の動作環境、例えば温度環境の増減によって、受信電界強度テーブルは、同図のグラフからほぼ平行移動する。
【００６０】
図１の説明に戻ると、受信電界強度テーブル作成部２０６３ｂは、送信電流検出部２０３によって検出された送信電流の最大値に基づいて基地局サーバ１０から取得した受信電界強度テーブルの中から無線機２１、２２、２３の受信電界強度テーブルを選択する。また、受信電界強度テーブル作成部２０６３ｂは、送信電流検出部２０３によって検出された中電界強度および強電界強度における送信電流に基づいて受信電界強度テーブルデータを作成する。
【００６１】
無線機２１、２２、２３が動作している間に、無線機２１、２２、２３の動作環境、例えば温度が変化すると送信電流に対する受信電界強度の値が変化するので、受信電界強度テーブル補正部２０６３ｃは、無線機２１、２２、２３が無線通信をするたびに検出される送信電流に基づいて受信電界強度テーブルを補正する。したがって、無線通信制御装２０は、常に最新の受信電界強度テーブルを用いて無線機２１、２２、２３の送信電流から換算された受信電界強度に基づいて無線機２１、２２、２３の通信を制御することができる。
【００６２】
（３）受信電界強度テーブル更新手順
次に、図４を参照して、図１に示す無線通信制御装置２０の受信電界強度テーブル更新手順について説明する。図４は、図１に示す無線通信制御装置２０の受信電界強度テーブル更新手順を示すフローチャートである。
【００６３】
同図に示すように、無線通信制御装置２０と無線機２１、２２、２３を起動する（ステップＳ４０１）。そして、通信制御部２０６１は、無線機２１、２２、２３と通信を開始し（ステップＳ４０２）、既存の受信電界強度テーブルが無線機２１、２２、２３のテーブルであるか否かを確認する（ステップＳ４０３）。その結果、既存の受信電界強度テーブルが無線機２１、２２、２３のテーブルである場合は（ステップＳ４０３肯定）、通信制御部２０６１は、既存の受信電界強度テーブルを読み出す（ステップＳ４０４）。
【００６４】
一方、既存の受信電界強度テーブルが無線機２１、２２、２３のテーブルでない場合は（ステップＳ４０３否定）、通信制御部２０６１は、受信電界強度テーブルを無線機２１、２２、２３から取得するか否かを決定する（ステップＳ４０５）。その結果、受信電界強度テーブルを無線機２１、２２、２３から取得する場合は（ステップＳ４０５肯定）、受信電界強度テーブル取得部２０６３ａは、無線機２１、２２、２３から受信電界強度テーブルを取得し（ステップＳ４０６）、受信電界強度テーブルデータ記憶部２０５１に記憶された受信電界強度テーブルを更新する（ステップＳ４１０）。
【００６５】
一方、受信電界強度テーブルを無線機２１、２２、２３から取得しない場合は（ステップＳ４０５否定）、受信電界強度テーブル取得部２０６１ａは、無線アクセスポイント１２を介して基地局サーバ１０へ接続し（ステップＳ４０７）、無線機２１、２２、２３の受信電界強度テーブルがあるか否かを確認する（ステップＳ４０８）。その結果、無線機２１、２２、２３の受信電界強度テーブルがある場合は（ステップＳ４０８肯定）、受信電界強度テーブル取得部２０６１ａは、基地局サーバ１０から受信電界強度テーブルを取得し（ステップＳ４０９）、受信電界強度テーブルデータ記憶部２０５１に記憶された受信電界強度テーブルを更新する（ステップＳ４１０）。
【００６６】
一方、無線機２１、２２、２３の受信電界強度テーブルがない場合は（ステップＳ４０８否定）、受信電界強度テーブル作成部２０６１ｂは、基地局サーバ１０が保有している受信電界強度テーブルを作成する（ステップＳ４１１）。なお、受信電界強度テーブル作成手順については別途詳細に説明する。このように、無線通信制御装置２０は、無線機２１、２２、２３を起動するたびに受信電界強度テーブルの更新の必要性を確認し、必要な場合は、無線機２１、２２、２３または基地局サーバ１０から取得し更新するので、常に最新の受信電界強度テーブルに基づいて無線機２１、２２、２３の通信を制御することができる。
【００６７】
（４）受信電界強度テーブル作成手順
次に、図５を参照して、図４に示す無線通信制御装置２０の受信電界強度テーブル作成手順、ステップＳ４１１をさらに詳細に説明する。図５は、図４に示す無線通信制御装置２０の受信電界強度テーブル作成手順、ステップＳ４１１をさらに詳細に示すフローチャートである。
【００６８】
同図に示すように、無線通信制御装置２０の通信制御部２０６１は、ゲイン可変スイッチ３１、３２、３３を制御して（ステップＳ５０１）、無線機２１、２２、２３に無線通信をするよう要求する（ステップＳ５０２）。さらに、通信制御部２０６１は、ゲイン可変スイッチ３１、３２、３３を切って、送信電流検出部２０３によって受信電界強度が０の場合の最大送信電流を検出する（ステップＳ５０３）。
【００６９】
そして、受信電界強度テーブル取得部２０６３ａは、無線アクセスポイント１２を介して基地局サーバ１０にアクセスして受信電界強度テーブルを要求し（ステップＳ５０４）、基地局サーバ１０から受信電界強度テーブルを取得する（ステップＳ５０５）。
【００７０】
さらに、受信電界強度テーブル取得部２０６３ａは、検出された最大送信電流と取得した受信電界強度テーブルを比較して（ステップＳ５０６）、取得した受信電界強度テーブルから受信電界強度０における送信電流が最大送信電流になる受信電界強度テーブルを選択する（ステップＳ５０７）。
【００７１】
そして、通信制御部２０６１は、無線通信シミュレーションを行うか否かを確認する（ステップＳ５０８）。その結果、無線通信シミュレーションを行わない場合は（ステップＳ５０８否定）、通信制御部２０６１は、本手順を終了する。一方、無線通信シミュレーションを行う場合は（ステップＳ５０８肯定）、通信制御部２０６１は、送信電流検出部２０３によって中電界強度および強電界強度における無線機２１、２２、２３の送信電流を検出し（ステップＳ５０９）、選択した受信電界強度テーブルと差があるか否かを調べる（ステップＳ５１０）。
【００７２】
その結果、選択した受信電界強度テーブルと差がない場合は（ステップＳ５１０否定）、本手順を終了する。一方、選択した受信電界強度テーブルと差がある場合は（ステップＳ５１０肯定）、受信電界強度テーブル作成部２０６３ｂは、最大送信電流と送信電流検出部２０３によって検出された中電界強度および強電界強度における送信電流とに基づいて受信電界強度テーブルを作成する（ステップＳ５１１）。
【００７３】
このようにして、無線通信制御装置２０は、基地局サーバ１０に該当する無線機２１、２２、２３の受信電界強度テーブルがない場合は、最大送信電流と中電界強度および強電界強度において検出された送信電流に基づいて受信電界強度テーブルを作成するので、受信電界強度テーブルに基づいて無線機２１、２２、２３の通信を制御することができる。
【００７４】
（５）無線通信制御手順
次に、図６を参照して、図１に示す無線通信制御装置２０の無線通信制御手順について説明する。図６は、図１に示す無線通信制御装置２０の無線通信制御手順を示すフローチャートである。
【００７５】
同図に示すように、まず無線通信制御装置２０と無線機２１、２２、２３を起動すると（ステップＳ６０１）、通信制御部２０６１は、無線機２１によって通信を開始する（ステップＳ６０２）。そして、通信制御部２０３は、送信電流検出部２０３によって無線機２１の送信電流を検出する（ステップＳ６０３）。さらに、通信制御部２０６１は、受信電界強度テーブルと比較して（ステップＳ６０４）、受信電界強度が切替閾値に到達したか否かを判定する（ステップＳ６０５）。
【００７６】
その結果、受信電界強度が切替閾値に到達していない場合は（ステップＳ６０５否定）、通信制御部２０６１は、ステップＳ６０３に戻り、ステップＳ６０３〜ステップＳ６０４の手順を繰り返す。一方、受信電界強度が切替閾値に到達した場合は（ステップＳ６０５肯定）、通信制御部２０６１は、送信電流検出部２０３によって無線機２２、２３の送信電流を検出する（ステップＳ６０６）。
【００７７】
そして、通信制御部２０６１は、無線機２２の受信電界強度が切替閾値に到達したか否かを判定する（ステップＳ６０７）。その結果、無線機２２の受信電界強度が切替閾値に到達していない場合は（ステップＳ６０７否定）、通信制御部２０６１は、無線機２２に切替えて（ステップＳ６０８）、無線機２１を切断する（ステップＳ６１１）。一方、無線機２２の受信電界強度が切替閾値に到達している場合は（ステップＳ６０７肯定）、通信制御部２０６１は、さらに、無線機２３の受信電界強度が切替閾値に到達したか否かを判定する（ステップＳ６０９）。
【００７８】
その結果、無線機２３の受信電界強度が切替閾値に到達していない場合は（ステップＳ６０９否定）、通信制御部２０６１は、無線機２３に切替えて（ステップＳ６１０）、無線機２１を切断する（ステップＳ６１１）。一方、無線機２３の受信電界強度が切替閾値に到達している場合は（ステップＳ６０７肯定）、通信制御部２０６１は、無線機２１を切断する（ステップＳ６１１）。このように、無線通信制御装置２０は、無線器２１の送信電流から換算された受信電界強度に基づいて無線機２２、または２３に切替えるよう制御することができる。
【００７９】
上述してきたように、本実施例では、送信電流検出部２０３は、無線機２１、２２、２３の送信電流を検出し、電界強度換算部２０６２は、検出された送信電流を受信電界強度に換算し、通信制御部２０６１は、換算された受信電界強度に基づいて無線機２１、２２、２３の通信を制御することとしたので、無線通信制御装置２０は、無線機２１、２２、２３の受信電界強度信号に関するインタフェースを調整することなく、受信電界強度に基づいて通信を制御することができる。
【００８０】
また、送信電流検出部２０３は、無線通信制御装置２０から無線機２１、２２、２３に供給する電源の電流を検出することとしたので、無線機の送信電流を容易に検出することができる。
【００８１】
また、送信電流検出部２０３は、電源の電流変化を電圧変化として検出する差動増幅器と差動増幅器の電圧変化をデジタル変換するデジタル変換器を有することとしたので、無線機の送信電流を容易に検出することができる。
【００８２】
また、電界強度換算部２０６２は、受信電界強度テーブルを用いて送信電流を受信電界強度に換算することとしたので、送信電流から受信電界強度を容易に換算できる。
【００８３】
また、受信電界強度テーブルデータ記憶部２０５１は、受信電界強度テーブルを記憶し、電界強度換算部２０６２は、受信電界強度テーブルに基づいて送信電流を受信電界強度に換算することとしたので、送信電流から受信電界強度を容易に換算できる。
【００８４】
また、電界強度更新部２０６３は、受信電界強度テーブルを更新し、電界強度換算部２０６２は、更新された受信電界強度テーブルに基づいて無線機２１、２２、２３の送信電流を受信電界強度に換算することとしたので、最新の受信電界強度テーブルを用いて送信電流から受信電界強度を容易に換算できる。
【００８５】
また、受信電界強度テーブル取得部２０６３ａは、無線機２１、２２、２３から受信電界強度テーブルを取得して受信電界強度テーブルを更新することとしたので、無線機２１、２２、２３の受信電界強度テーブルを確実に、かつ容易に取得できる。
【００８６】
また、受信電界強度テーブル取得部２０６３ａは、ネットワークを介して接続された基地局サーバ１０から取得した受信電界強度テーブルに基づいて受信電界強度テーブルを更新することとしたので、無線機２１、２２、２３が受信電界強度テーブルを保持していない場合でも、無線機２１、２２、２３の受信電界強度テーブルを取得できる。
【００８７】
また、送信電流検出部２０３は、無線機２１、２２、２３の通信を一時的に切断した場合の無線機２１、２２、２３の最大送信電流を検出し、受信電界強度テーブル取得部２０６３ａは、最大送信電流に基づいて基地局サーバ１０から取得した受信電界強度テーブルの中から無線機２１、２２、２３の受信電界強度テーブルを選択することとしたので、基地局サーバ１０が保持している受信電界強度テーブルから容易に無線機２１、２２、２３の受信電界強度テーブルを取得することができる。
【００８８】
また、受信電界強度テーブル作成部２０６３ｂは、最大送信電流と中電界強度および強電界強度における送信電流とに基づいて受信電界強度テーブルを作成することとしたので、基地局サーバ１０が無線機２１、２２、２３の受信電界強度テーブルを保持していない場合、無線通信シミュレーションを行って無線機２１、２２、２３の受信電界強度テーブルを作成することができる。
【００８９】
また、受信電界強度テーブル補正部２０６３ｃは、無線機２１、２２、２３が無線通信をするたびに検出される送信電流に基づいて受信電界強度テーブルを補正することとしたので、無線通信制御装置２０は、信頼性の高い受信電界強度テーブルを用いて無線機２１、２２、２３の通信を制御することができる。
【００９０】
さて、これまで本発明の実施例について説明したが、本発明は上述した実施例以外にも、上記特許請求の範囲に記載した技術的思想の範囲内において種々の異なる実施例にて実施されてもよいものである。
【００９１】
例えば、本実施例では、電界強度換算手段として、受信電界強度テーブルを用いた場合について説明したが、これだけに限定されるものではなく、電界強度換算手段として、送信電流に関する多項式関数に基づいて受信電界強度を算出する場合に適用できる。例えば、送信電流に関する最小二乗近似した多項式関数で受信電界強度を算出する場合にも適用できる。
【００９２】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９３】
また、図示した各装置の各構成要素は機能概念的なものであり、必ずしも物理的に図示の如く構成されていることを要しない。すなわち、各装置（無線通信制御装置）の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９４】
なお、本実施の形態で説明した無線通信制御方法は、あらかじめ用意されたプログラムをパーソナル・コンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【００９５】
以上のように、本発明にかかる無線通信制御装置は、特に不特定多数の無線機の通信を制御する無線通信制御装置に適している。
【図面の簡単な説明】
【００９６】
【図１】実施例に係る無線通信制御システムの構成を示す機能ブロック図である。
【図２】図１に示す送信電流検出部の構成をさらに詳細に示す機能ブロック図である。
【図３】図１に示す受信電界強度テーブル取得部が基地局サーバから取得する受信電界強度テーブルである。
【図４】図１に示す無線通信制御装置の受信電界強度テーブル更新手順を示すフローチャートである。
【図５】図４に示す無線通信制御装置の受信電界強度テーブル作成手順をさらに詳細に示すフローチャートである。
【図６】図１に示す無線通信制御装置の無線通信制御手順を示すフローチャートである。
【符号の説明】
【００９７】
１    無線通信制御システム
１０    基地局サーバ
１２    無線アクセスポイント
１５    ネットワーク
１９    電源
２０    無線通信制御装置
２１、２２、２３    無線機
３１、３２、３３    ゲイン可変スイッチ
４１、４２、４３    アンテナ
２０１    入力部
２０２    表示部
２０３    送信電流検出部
２０４    送受信ＩＦ部
２０５    記憶部
２０６    制御部
２０３１    低インピーダンス抵抗
２０３２    差動増幅器
２０３３    Ａ／Ｄ変換器
２０５１    受信電界強度テーブルデータ記憶部
２０６１    通信制御部
２０６２    電界強度換算部
２０６３    電界強度更新部
２０６３ａ    受信電界強度テーブル取得部
２０６３ｂ    受信電界強度テーブル作成部
２０６３ｃ    受信電界強度テーブル補正部
【図１】
2005318301.tif 000003
【図２】
2005318301.tif 000004
【図３】
2005318301.tif 000005
【図４】
2005318301.tif 000006
【図５】
2005318301.tif 000007
【図６】
2005318301.tif 000008